(57)【要約】【課題】アドレッサブル広告に差し替えられる広告を含む番組の内容に適しアドレッサブル広告を選択して表示する放送信号受信装置、放送信号受信方法を提供することである。【解決手段】発明の実施形態に係る放送信号送受信システムは、放送信号で番組を送信する放送信号送信装置と放送信号受信装置とを備え、前記放送信号受信装置は、前記番組と前記番組の放送時間帯に挿入される第１の広告の第１の属性情報を取得する番組属性取得部と、前記第１の広告に差し替えて表示する候補である第２の広告を取得し保存し、保存した前記第２の広告の第２の属性情報を取得する差し替え広告取得部と、前記第１の属性情報と前記第２の属性情報とを用いて、前記第２の広告を差し替えの候補から除外する判定を行う判定部と、を具備する放送信号送受信システムである。【選択図】図１
2020102715.tif 000002
【特許請求の範囲】
【請求項１】
放送信号で番組を送信する放送信号送信装置と、前記放送信号で送られてくる番組を受信するとともに、ネットワークを介して１つまたは複数のサーバと接続する放送信号受信装置とを備えた放送信号送受信システムにおいて、
前記放送信号送信装置は、
映像ストリーム、音声ストリームを含む前記放送信号を送信する送信手段
を備え、
前記放送信号受信装置は、
前記番組と前記番組の放送時間帯に挿入される第１の広告との属性情報である第１の属性情報を取得する番組属性取得部と、
前記第１の広告に差し替えて表示する候補である第２の広告を前記サーバから取得し保存し、保存した前記第２の広告の属性情報である第２の属性情報を取得する差し替え広告取得部と、
前記第１の属性情報と、前記第２の属性情報とを用いて、前記第２の広告を差し替えの候補から除外する判定を行う判定部と、
を具備する放送信号送受信システム。
【請求項２】
前記第１の属性情報は、前記番組の対象となる視聴者の年齢、性別、居住地域、住所のいずれか１つを少なくとも含むデモグラフィック属性、前記番組の内容を表すキーワード、ジャンル、および放送地域のいずれか１つを少なくとも含む、請求項１に記載の放送信号送受信システム。
【請求項３】
前記第２の属性情報は、前記第２の広告の対象となる視聴者の年齢、性別、居住地域、住所のいずれか１つを少なくとも含むデモグラフィック属性、前記第２の広告のスポンサー名、ジャンルおよび商品名のいずれか１つを少なくとも含む、請求項１に記載の放送信号送受信システム。
【請求項４】
放送信号で番組を送信する放送信号送信装置と、前記放送信号で送られてくる番組を受信するとともに、ネットワークを介して１つまたは複数のサーバと接続する放送信号受信装置とを備えた放送信号送受信システムにおける放送信号受信方法において、
前記放送信号送信装置は、
映像ストリーム、音声ストリームを含む前記放送信号を送信し、
前記放送信号受信装置は、
前記番組と前記番組の放送時間帯に挿入される第１の広告との属性情報である第１の属性情報を取得し、
前記第１の広告に差し替えて表示する候補である第２の広告を前記サーバから取得し保存し、保存した前記第２の広告の属性情報である第２の属性情報を取得し、
前記第１の属性情報と、前記第２の属性情報とを用いて、前記第２の広告を差し替えの候補から除外する判定を行う放送信号送受信方法。
【発明の詳細な説明】
【技術分野】
【０００１】
本発明の実施形態は、放送信号送受信システムおよび放送信号受信方法に関する。
【背景技術】
【０００２】
ネットワークに接続可能な放送信号受信装置の中には、視聴者の属性に合わせた最適な広告を表示させるアドレッサブル広告（差し替えＣＭ）を表示する機能を備えているものがある。このようなアドレッサブル広告（差し替えＣＭ）を表示する機能は、放送信号受信装置の視聴者個々に対する独自のサービスを可能にしている。
【先行技術文献】
【特許文献】
【０００３】
【特許文献１】特開２００３−２８９５１８号公報
【発明の概要】
【発明が解決しようとする課題】
【０００４】
放送信号受信装置においてアドレッサブル広告（差し替えＣＭ）の表示をより効果的におこなうためには、視聴者の嗜好に適したアドレッサブル広告を表示することが望ましい。しかし表示するアドレッサブル広告を、視聴者の嗜好だけにもとづいて選択すると、例えば差し替え対象のＣＭを含む番組の内容や番組のスポンサーに適さないアドレッサブル広告が選択される可能性がある。
【０００５】
そこで本実施形態は、アドレッサブル広告に差し替えられる広告を含む番組の内容に適しアドレッサブル広告を選択して表示する放送信号送受信システム、放送信号送受信方法を提供することである。
【課題を解決するための手段】
【０００６】
本発明の実施形態に係る放送信号送受信システムは、放送信号で番組を送信する放送信号送信装置と、前記放送信号で送られてくる番組を受信するとともに、ネットワークを介して１つまたは複数のサーバと接続する放送信号受信装置とを備えた放送信号送受信システムにおいて、
前記放送信号送信装置は、
映像ストリーム、音声ストリームを含む前記放送波を送信する送信手段
を備え、
前記放送信号受信装置は、
前記番組と前記番組の放送時間帯に挿入される第１の広告との属性情報である第１の属性情報を取得する番組属性取得部と、
前記第１の広告に差し替えて表示する候補である第２の広告を前記サーバから取得し保存し、保存した前記第２の広告の属性情報である第２の属性情報を取得する差し替え広告取得部と、
前記第１の属性情報と、前記第２の属性情報とを用いて、前記第２の広告を差し替えの候補から除外する判定を行う判定部と、
を具備する放送信号送受信システムである。
【図面の簡単な説明】
【０００７】
【図１】図１は、本発明の実施形態に係る除外ＣＭ判定装置を含むアドレッサブル広告システムの構成例を示す図である。
【図２】図２は、放送局（放送信号送信装置）の構成例を概略的に示す図である。
【図３】図３は、本発明の実施形態に係る除外ＣＭ判定装置を含む放送信号受信装置（手段）１４０の構成を概略的に示した図である。
【図４Ａ】図４Ａは、本発明の実施形態に係る除外ＣＭ判定装置の構成の一例を示す図である。
【図４Ｂ】図４Ｂは、本発明の実施形態に係る除外ＣＭ判定装置の処理を、番組の属性情報の具体例とアドレッサブル広告の属性情報の具体例をもとに、概略的に示した図である。
【図４Ｃ】図４Ｃは、本発明の実施形態に係る除外ＣＭ判定装置３３０の処理フローの一例を示す図である。
【図５】図５は、本発明の実施形態に係る除外ＣＭ判定装置３３０の処理フローの、除外度と含有度を用いた場合の例を示す図である。
【発明を実施するための形態】
【０００８】
以下、実施の形態について図面を参照して説明する。
図１は、本発明の実施形態に係る除外ＣＭ判定装置を含むアドレッサブル広告システムの構成例を示す図である。
アドレッサブル広告システムは、放送局（放送信号送信装置）１００、放送信号受信装置１４０、ＣＭ配信用サーバ１２０、管理サーバ１２１を含む。放送信号受信装置１４０は、放送局（放送信号送信装置）１００が放送する番組を受信するとともに、本発明の実施形態にかかる除外ＣＭ判定装置を含む。放送局１００および放送信号受信装置１４０は、ネットワーク１３０を介してＣＭ配信用サーバ１２０および管理サーバ１２１と接続されている。
【０００９】
放送局１００は、番組を編成し、編成した番組を放送信号により放送信号受信装置１４０に放送する局である。放送局１００は、放送信号送信装置とも呼ぶ。
放送局１００は、広告会社１１０が製作したＣＭを、保存して管理するＣＭ管理サーバ１０１を有する。放送局１００は、ＣＭ管理サーバ１０１に保存されているＣＭ(Commercial Message)を、放送する番組の途中に挿入して編成し一連の映像ストリームおよび音声ストリームとして、放送信号により放送信号受信装置１４０に放送（送信）する。なお広告会社１１０は、例えば契約に基づく広告主１１１からの依頼により広告を製作し、製作したＣＭを放送局１００のＣＭ管理サーバ１０１に登録する。
【００１０】
また放送局１００は、またネットワーク１３０と接続する機能を有し、ネットワーク１３０を介してＣＭ配信用サーバ１２０および管理サーバ１２１と接続している。
ＣＭ配信用サーバ１２０は、ネットワーク１３０を介して接続されたＣＭ管理サーバ１０１から送られてきたアドレッサブル広告（差し替えＣＭ）を蓄積し、放送信号受信装置１４０からの要求に応じて蓄積しているアドレッサブル広告（差し替えＣＭ）を配信するサーバである。またＣＭ配信用サーバ１２０は、図４Ｂを用いて説明するように、配信するアドレッサブル広告の属性情報であるＣＭ属性情報、除外番組属性情報、除外ＣＭ属性情報も配信する。
【００１１】
管理サーバ１２１は、放送信号受信装置１４０が受信する番組に関連する付加サービスを提供するためのサーバである。管理サーバ１２１が提供する付加サービスとは、例えば放送信号受信装置１４０が、ある番組を視聴しているユーザに、番組途中に挿入されているＣＭをアドレッサブル広告（差し替えＣＭ）に置き換えて提供するための、アドレッサブル広告（差し替えＣＭ）に置き換えることが可能なＣＭの時間枠を、放送信号受信装置１４０に提供するサービスである。あるいはまた、図４Ｂを用いて説明するように、放送局１が放送する番組の番組属性情報を、放送信号受信装置１４０に提供するサービスであってもよい。管理サーバ１２１が放送信号受信装置１４０に提供するアドレッサブル広告（差し替えＣＭ）に置き換えることが可能なＣＭの時間枠は、放送局１００のＣＭ管理サーバ１０１から送られてくるアドレッサブルＣＭ枠情報にもとづいている。
【００１２】
また管理サーバ１２１は、放送信号受信装置１４０の視聴履歴を収集する機能も有する。放送信号受信装置１４０は、番組途中に挿入されているＣＭがアドレッサブル広告（差し替えＣＭ）に置き換えた実績を視聴履歴の中に含めて送信する。
放送信号受信装置１４０は、放送局１００から放送信号により放送される番組を受信する受信装置である。また放送信号受信装置１４０は、ネットワーク１３０と接続する機能を有し、ネットワーク１３０を介してＣＭ配信用サーバ１２０と接続している。放送信号受信装置１４０は、ＣＭ配信用サーバ１２０から配信されるアドレッサブル広告（差し替えＣＭ）を、管理する記録媒体１６０に保存する。
【００１３】
さらに放送信号受信装置１４０は、放送される番組に関する付加サービスを受けるために、放送信号受信装置１４０の例えば機能設定画面を通じて、管理サーバ１２１との接続を設定することが可能である。放送信号受信装置１４０は、機能設定画面を例えばユーザが操作することにより、管理サーバ１２１との接続に必要な情報である例えば放送信号受信装置１４０の固有情報（機器ＩＤとも言う）や放送信号受信装置１４０を使用するユーザの世帯の状況（世帯を構成する人の性別や年代）等を管理サーバ１２１に登録することができる。これにより管理サーバ１２１は、放送信号受信装置１４０の１台１台を、例えば放送信号受信装置１４０の機器ＩＤによりユニークに識別することができる。
【００１４】
このように放送信号受信装置１４０は、機能設定画面を通じて管理サーバ１２１との接続のたに必要な情報を登録することで、放送信号で受信する番組に関連する種々の付加サービスを、管理サーバ１２１から受けることができる。
またさらに放送信号受信装置１４０は、本発明の実施形態に係る除外ＣＭ判定装置を含む。放送信号受信装置１４０は、除外ＣＭ判定装置が出力する判定結果に従って記録媒体１６０に保存されているアドレッサブル広告（差し替えＣＭ）の中から最適なアドレッサブル広告（差し替えＣＭ）を選択して表示画面に表示する機能を有する。放送信号受信装置１４０は、選択した最適なアドレッサブル広告（差し替えＣＭ）を、管理サーバ１２１から送られてきたアドレッサブル広告（差し替えＣＭ）に置き換えが可能なＣＭの時間枠に当てはめて表示することで、番組を視聴する視聴者に提供することができる。
【００１５】
図２は、放送局（放送信号送信装置）１００の構成例を概略的に示した図である。放送局（放送信号送信装置）１００は、ＣＭ管理サーバ１０１に蓄えられているＣＭを挿入して編成した番組の映像データや音声データ等を符号化（エンコードとも呼ぶ）して放送信号として送出する。
【００１６】
データ放送エンコーダ２１０は、編成された番組に関連するデータ放送のデータを符号化する機能を持つ。データ放送エンコーダ２１０は、データ放送のデータを符号化する。
映像エンコーダ２１１は、編成された番組の映像データを符号化する機能を持つ。映像エンコーダ２１１は、編成された番組の映像データを符号化する。
【００１７】
音声エンコーダ２１２は、編成された番組の音声データを符号化する機能を持つ。音声エンコーダ２１２は、編成された番組の音声データを符号化する。
字幕エンコーダ２１３は、編成された番組の字幕データを符号化する機能を持つ。字幕エンコーダ２１３は、編成された番組の字幕データを符号化する。
【００１８】
制御情報生成手段２１４は、ＴＬＶパケットおよびＭＭＴの制御情報を生成する機能を持つ。ＴＬＶパケットの制御情報とは、ＩＰパケットの多重に関する制御情報（ＴＬＶ-ＳＩとも呼ばれる）であり、選局のための情報やＩＰアドレスとサービスの対応情報を提供する。またＭＭＴの制御情報とは、ＭＭＴのパッケージの構成や放送サービスに関連する制御情報（ＭＭＴ-ＳＩとも呼ばれる）である。図４Ｂで説明する番組属性情報もＭＭＴ−ＳＩに含まれる。制御情報生成手段２１４は、音声エンコーダ２１２、映像エンコーダ２１１がエンコード対象とした番組に関する制御情報を含むＴＬＶパケットおよびＭＭＴの制御情報の信号を生成する。
【００１９】
スクランブラ２１５は、音声エンコーダ２１２から出力された符号化された音声データ、映像エンコーダ２１１から出力された符号化された映像データを、ＣＡＳモジュール２１６と連携してスクランブルする機能を持つ。
ＣＡＳモジュール２１６は、スクランブラ２１５がスクランブルする際に使用する鍵を生成するモジュールである。
【００２０】
マルチプレクサ（多重化手段）２１７は、データ放送エンコーダ２１０が符号化して生成したデータ放送ストリーム、映像エンコーダ２１１が映像データを符号化して生成した映像ストリーム、音声エンコーダ２１２が音声データを符号化して生成した音声ストリーム、字幕エンコーダ２１３が字幕データを符号化して生成した字幕ストリームおよび制御情報生成手段２１４で生成された制御情報を、ＭＭＴ・ＴＬＶ方式で多重する機能を持つ。マルチプレクサ（多重化手段）２１７は、音声ストリーム、映像ストリーム、ＴＬＶパケットおよびＭＭＴの制御情報を多重化したＴＬＶストリームを生成する。
【００２１】
送信手段２１８は、ＴＬＶストリームからなる放送信号を放送波として送出する機能を持つ。送信手段２１８は、マルチプレクサ２１７が生成したＴＬＶストリームを、１６ＡＰＳＫなどの変調や誤り訂正符号化などの伝送路符号化処理を行い放送波として送出する。
【００２２】
図３は、本発明の実施形態に係る除外ＣＭ判定装置を含む放送信号受信装置（手段）１４０の構成を概略的に示した図である。
放送信号受信装置１４０は、放送信号を受信する受信機能である基本機能３４１と制御手段３４２を含む。
基本機能３４１は、放送チューナ３０１、デマルチプレクサ３０２、デスクランブラ３０３、ＣＡＳモジュール３０４、データ放送エンジン３０５、映像デコーダ３０６、音声デコーダ３０７、字幕デコーダ３０８、制御情報解析手段３０９、ＧＵＩ３２０、合成器３２６を含む。
【００２３】
チューナ３０１は、放送波で送られてきた放送信号（ＴＬＶストリーム）を受信する機能を持つ。チューナ３０１で受信した放送信号は、デマルチプレクサ３０２に入力される。
デマルチプレクサ３０２は、多重化されているＴＬＶストリームをデータ放送ストリーム、映像ストリーム、音声ストリーム、字幕ストリーム、制御情報に分離する機能を持つ。デマルチプレクサ３０２は、分離したデータ放送ストリーム、映像ストリーム、音声ストリーム、データ放送ストリーム、字幕ストリームをデスクランブラ３０３に、制御情報であるＳＩ信号を制御情報解析手段３０９にそれぞれ入力する。
【００２４】
デスクランブラ３０３は、入力されたデータ放送ストリーム、映像ストリーム、音声ストリーム、字幕ストリームを、ＣＡＳモジュール３０４と連携してデスクランブルする機能を持つ。デスクランブラ３０３は、デスクランブルしたデータ放送ストリームをデータ放送エンジン３０５に、映像ストリームを映像デコーダ３０６に、音声ストリームを音声デコーダ３０７に、字幕ストリームを字幕デコーダ３０８にそれぞれ入力する。
【００２５】
ＣＡＳモジュール３０４は、デスクランブラ３０３でデスクランブルする際に使用するキーを生成する機能を持つ。
データ放送エンジン３０５は、入力されたデータ放送ストリームの受信処理を行う機能を持つ。データ放送エンジン３０５は、受信したデータ放送ストリームを表示手段３５０に表示するデータに変換して合成器３２６に送る。合成器３２６に送られたデータ放送用のデータは、映像データ等と合成され、表示手段３５０に表示される。
【００２６】
映像デコーダ３０６は、入力された映像ストリームを復号化（デコード）する機能を持つ。映像デコーダ３０６は、映像ストリームを復号し表示手段３５０に表示する信号を生成する。
音声デコーダ３０７は、入力された音声ストリームを復号化する機能を持つ。音声デコーダ３０７は、音声ストリームを復号しスピーカ３５１に出力する信号を生成する。
【００２７】
字幕デコーダ３０８は、字幕ストリームを復号化し、表示手段３５０に表示する信号を生成する。
復号化された映像信号および字幕信号およびデータ放送用信号は、合成器３２６で合成され表示手段３５０に出力される。また復号化された音声信号は、スピーカ３５１に出力される。
【００２８】
制御情報解析手段３０９は、放送信号の制御情報であるＳＩ信号の解析を行う。制御情報解析手段３０９は、ＳＩ信号の解析を行うと、その解析結果を制御手段３４２に送る。
制御手段３４２は、放送信号受信装置１４０の全体的な動作の制御を行う。また制御手段３４２は、本発明の実施形態に係る除外ＣＭ判定装置３３０を内部に持ち、除外ＣＭ判定装置３３０の制御を行う。また制御手段３４２は、ネットワーク１３０とのＩ／ＦであるネットワークＩ／Ｆ３３１および外部機器との接続Ｉ／Ｆである外部入力Ｉ／Ｆ３３２の制御も行う。
【００２９】
また制御手段３４２は、除外ＣＭ判定装置３３０が出力した判定結果に従って、記録媒体１６０に保存されているアドレッサブル広告（差し替えＣＭ）の中から放送信号受信装置１４０に視聴者に最適なアドレッサブル広告（差し替えＣＭ）を選択し、アドレッサブル広告（差し替えＣＭ）に置き換えることが可能な時間枠のＣＭを、選択したアドレッサブル広告（差し替えＣＭ）に置き換えて表示する制御も行う。
【００３０】
除外ＣＭ判定装置３３０は、ある番組に挿入されている広告をアドレッサブル広告に差し替える場合、差し替えられる広告が挿入されている番組の内容および差し替えられる広告の内容と差し替えの候補であるアドレッサブル広告の内容とを比較して、差し替えの候補のアドレッサブル広告を、差し替え候補から除外すべきかどうかを判定する装置である。
【００３１】
除外ＣＭ判定装置３３０の構成を、図４Ａに示す。また除外ＣＭ判定装置３３０の動作のまた除外ＣＭ判定装置３３０が行う処理の概要を、図４Ｂに示す。また除外ＣＭ判定装置の処理フローを、図４Ｃに示す。
図４Ａは、本発明の実施形態に係る除外ＣＭ判定装置３３０の構成の一例を示す図である。ＣＭ判定装置３３０は、放送番組属性取得部４０１、ユーザ嗜好ＣＭリスト取得部４０２、ユーザ嗜好ＣＭ取得部４０３、除外ＣＭ判定部４０４を含む。
【００３２】
放送番組属性情報取得部４０１は、放送信号受信装置１４０が受信した番組であり、アドレッサブル広告に差し替えられる広告およびその広告を含む番組の属性情報を取得する処理を行う。
ユーザ嗜好ＣＭリスト取得部４０２は、除外ＣＭ判定装置３３０に蓄えられているユーザ嗜好ＣＭリストを取得する処理を行う。
【００３３】
ユーザ嗜好ＣＭリストは、放送信号受信装置１４０の視聴者であるユーザごとの嗜好に適したアドレッサブル広告のリストである。ユーザごとの嗜好の情報とは、例えば放送信号受信装置１４０の機能設定画面により登録されている放送信号受信装置１４０のユーザごとの属性情報や視聴履歴等をもとに解析され蓄積された情報である。放送信号受信装置１４０は、嗜好の情報をもとに作成されたユーザ嗜好ＣＭリストを保存領域（図示せず）に保存している。
【００３４】
ユーザ嗜好ＣＭ取得部４０３は、ＣＭ配信用サーバ１２０が配信するアドレッサブル広告を受信して記録媒体１６０に保存する処理に加え、ユーザ嗜好ＣＭリストに登録されているアドレッサブル広告のうち、除外ＣＭ判定部４０４の指示されたアドレッサブル広告の属性を記録媒体１６０から取り出し、除外ＣＭ判定部に入力する処理を行う。
【００３５】
除外ＣＭ判定部４０４は、除外ＣＭ判定装置３３０全体を制御するとともに放送番組属性取得部４０１から取得した番組の属性情報と、ユーザ嗜好ＣＭ取得部４０３から取得したアドレッサブル広告の属性とを用いて、該当するアドレッサブル広告を差し替えの候補から除外するかどうかの判定処理を行う。
【００３６】
図４Ｂは、本発明の実施形態に係る除外ＣＭ判定装置の処理を、番組の属性情報の具体例とアドレッサブル広告の属性情報の具体例をもとに、概略的に示した図である。
放送信号受信装置１４０は、番組の属性情報として番組情報、内包ＣＭ情報、除外ＣＭ情報を受信する。これらの番組属性情報は、放送波に含まれる制御情報であるＳＩ信号として送られる。放送信号受信装置１４０は、受信したＳＩ信号を制御情報解析手段３０９で解析し、抽出した番組属性情報を制御手段３４２の保存領域（図示せず）に蓄える。あるいは放送信号受信装置１４０は、管理サーバ１２１が提供する付加サービスの１つとして、管理サーバ１２１から提供された番組属性情報を、制御手段３４２の保存領域（図示せず）に蓄えてもよい。
【００３７】
番組情報とは、番組の情報である。番組の情報は、例えば番組の対象となる年齢や性別、居住地域や住所など、対象となる視聴者のデモグラフィック属性情報であったり、番組の内容を表すキーワードやジャンル、放送地域など放送または配信される番組そのものの情報であったりする。
【００３８】
内包ＣＭ情報とは、番組の途中に挿入されているＣＭの情報である。内包ＣＭ情報は、内包ＣＭのスポンサー名やジャンル、商品名などアドレッサブル広告の内容を表すキーワードなどアドレッサブル広告そのものの情報であったり、アドレッサブル広告の対象となる年齢や性別、地域や住所など、対象となる視聴者のデモグラフィック属性情報あったりする。
【００３９】
除外ＣＭ情報とは、番組の途中に挿入されているＣＭをアドレッサブル広告で差し替える場合、差し替える候補として除外してほしいアドレッサブル広告の情報である。除外ＣＭ情報は、除外してほしいＣＭのスポンサー名やジャンル、商品名などアドレッサブル広告の内容を表すキーワードなどアドレッサブル広告そのものの情報であったり、アドレッサブル広告の対象となる年齢や性別、地域や住所など、対象となる視聴者のデモグラフィック属性情報あったりする。
【００４０】
また放送信号装置１４０は、アドレッサブル広告の属性情報としてＣＭ属性情報、除外番組属性情報、除外ＣＭ属性情報を受信する。これらのアドレッサブル広告属性情報は、ＣＭ配信用サーバ１２０から配信され、放送信号受信装置１４０の制御手段３４２の保存領域（図示せず）に蓄えられる。
【００４１】
ＣＭ属性情報とは、アドレッサブル広告の情報である。アドレッサブル広告の情報は、例えばアドレッサブル広告のスポンサー名やジャンル、商品名などアドレッサブル広告の内容を表すキーワードなどアドレッサブル広告そのものの情報であったり、アドレッサブル広告の対象となる年齢や性別、地域や住所など、対象となる視聴者のデモグラフィック属性情報であったりする。
【００４２】
除外番組属性情報とは、番組の途中に挿入されているＣＭをアドレッサブル広告に差し替える場合、アドレッサブル広告に差し替えてほしくない番組の情報である。アドレッサブル広告に差し替えてほしくない番組の情報は、例えば番組の対象となる年齢や性別、居住地域や住所など、対象となる視聴者のデモグラフィック属性情報であったり、番組の内容を表すキーワードやジャンル、放送地域など放送または配信される番組そのものの情報であったりする。
【００４３】
除外ＣＭ属性情報とは、番組の途中に挿入されているＣＭをアドレッサブル広告で差し替える場合、差し替え候補として除外してほしいアドレッサブル広告の情報である。除外してほしいアドレッサブル広告の情報は、除外してほしいアドレッサブル広告のスポンサー名やジャンル、商品名などアドレッサブル広告の内容を表すキーワードなどアドレッサブル広告そのものの情報であったり、アドレッサブル広告の対象となる年齢や性別、地域や住所など、対象となる視聴者のデモグラフィック属性情報であったりする。
【００４４】
番組属性情報は、除外ＣＭ判定部４０４の指示により、放送番組属性取得部４０１により保存領域（図示せず）から取得され除外ＣＭ判定部４０４に送られる。またアドレッサブル広告属性情報は、除外ＣＭ判定部４０４の指示によりユーザ嗜好ＣＭ取得部４０３により保存領域（図示せず）から取得され除外ＣＭ判定部４０４に送られる。
【００４５】
除外ＣＭ判定部４０４は、取得した番組の属性情報に含まれる番組情報、内包ＣＭ情報、除外ＣＭ情報、およびアドレッサブル広告の属性情報に含まれるＣＭ属性情報、除外番組属性情報、除外ＣＭ属性情報を用いて、ユーザ嗜好ＣＭ取得部４０３で取得された属性を持つアドレッサブル広告が、放送番組属性取得部４０１で取得された属性をもつ放送番組に含まれるＣＭの代わりに差し替えて表示するのに適しているかの判断を行う。
【００４６】
判断の結果、放送番組に含まれるＣＭの代わりに差し替えて表示するのに適している場合、除外ＣＭ判定部４０４は、判定対象のアドレッサブル広告を記録媒体１６０から取得し、判定対象の番組に含まれているＣＭに差し替えて表示手段３５０に表示する。
【００４７】
判断の結果、放送番組に含まれるＣＭの代わりに差し替えて表示するのに適していない場合、除外ＣＭ判定部４０４は、判定対象のアドレッサブル広告を、判定対象の番組に含まれているＣＭに差し替えない。この場合判定対象の番組に含まれるＣＭは、そのまま表示手段３５０に表示される。
【００４８】
図４Ｃは、本発明の実施形態に係る除外ＣＭ判定装置３３０の処理フローの一例を示す図である。
除外ＣＭ判定装置３３０は、除外ＣＭ判定処理を任意のタイミングで実施よいが、判定対象の番組が放送される前に行われることが望ましい。
除外ＣＭ判定部４０４は、除外ＣＭ判定処理を開始する（Ｓ４５０）と、放送番組属性取得部４０１を介して番組属性情報を取得するとともに、ユーザ嗜好ＣＭリストに記載されている１つのアドレッサブル広告の属性情報を、ユーザ嗜好ＣＭ取得部４０３を介して取得する（Ｓ４５１）。
【００４９】
除外ＣＭ判定部４０４は、取得した番組属性情報に含まれる番組情報、内包ＣＭ情報、除外ＣＭ情報、取得したアドレッサブル広告属性情報に含まれるＣＭ属性情報、除外番組属性情報、除外ＣＭ属性情報を用いて除外判定を行う。
最初に除外番組属性情報が、番組情報に含まれているかを判定する（Ｓ４５２）。
【００５０】
判定の結果含まれている場合（Ｓ４５２のＹｅｓ）、除外ＣＭ判定部４０４は、判定対象のアドレッサブル広告を、差し替えの候補から除外して（Ｓ４５３）、処理を終了する（Ｓ４７０）。
判定の結果含まれていない場合（Ｓ４５２のＮｏ）、除外ＣＭ判定部４０４は、除外ＣＭ属性情報が、内包ＣＭ情報に含まれているかを判定する。
【００５１】
判定の結果含まれている場合（Ｓ４５４のＹｅｓ）、除外ＣＭ判定部４０４は、判定対象のアドレッサブル広告を、差し替えの候補から除外して（Ｓ４５３）、処理を終了する（Ｓ４７０）。
判定の結果含まれていない場合（Ｓ４５４のＮｏ）、除外ＣＭ判定部４０４は、除外ＣＭ情報が、ＣＭ属性情報に含まれているかを判定する。
【００５２】
判定の結果含まれている場合（Ｓ４５５のＹｅｓ）、除外ＣＭ判定部４０４は、判定対象のアドレッサブル広告を、差し替えの候補から除外して（Ｓ４５３）、処理を終了する（Ｓ４７０）。
判定の結果含まれていない場合（Ｓ４５４のＮｏ）、除外ＣＭ判定部４０４は、そのまま処理を終了する（Ｓ４７０）。
【００５３】
除外ＣＭ判定部４０４は、判定対象のアドレッサブル広告の判定が終わると、ユーザ嗜好ＣＭリストに記載されている次のアドレッサブル広告の属性情報を、ユーザ嗜好ＣＭ取得部４０３を介して取得して、Ｓ４５１からＳ４７０の処理を行う。以降除外ＣＭ判定部４０４はユーザ嗜好ＣＭリストに記載されているすべてのアドレッサブル広告に対して、判定処理を行う。
【００５４】
これにより除外ＣＭ判定装置３３０は、判定対象のアドレッサブル広告を差し替えの候補とするか、差し替えの候補から除外するかの判定を行うことができる。
図４Ｃの処理の例は、番組属性情報とアドレッサブル広告属性情報をＳ４５２、Ｓ４５４、Ｓ４５５の判定処理のいずれか１つの処理で判定を行った例であるが、判定を行う際に複数の情報を用いてもよい。
【００５５】
例えば番組属性情報の番組情報、内包ＣＭ情報、除外ＣＭ情報、およびアドレッサブル広告属性情報のＣＭ属性情報、除外番組属性情報、除外ＣＭ属性情報の各々に対して除外度Ｅｉ（ｉ＝１からｎ、ｎは全属性情報の数）を設定し、設定した除外度と予め定めた含有度を用いて算出した判定値が、予め定めた閾値をこえている場合に、判定対象のアドレッサブル広告を差し替えの候補から除外してもよい。
【００５６】
図５は、本発明の実施形態に係る除外ＣＭ判定装置３３０の処理フローの除外度と含有度を用いた場合の例を示す図である。
除外ＣＭ判定部４０４は、放送番組属性取得部４０１から取得した番組の属性情報（Ｓ５０１）と、ユーザ嗜好ＣＭ取得部４０３から取得したアドレッサブル広告の属性情報（Ｓ５０２）とを用いて、該当するアドレッサブル広告を差し替えの候補から除外するかどうかの判定処理（Ｓ５０３）を行う。
【００５７】
判定処理は、番組属性情報の番組情報、内包ＣＭ情報、除外ＣＭ情報、およびアドレッサブル広告属性情報のＣＭ属性情報、除外番組属性情報、除外ＣＭ属性情報の各々に対して除外度Ｅｉと含有度Ｍを掛け合わせたものの平均を判定値として算出し、閾値を比べる（Ｓ５０４）。
【００５８】
比べた結果閾値より小さい場合（Ｓ５０３のＹｅｓ）、判定対象のアドレッサブル広告は、差し替えの候補から除外して（Ｓ５０４）、処理を終了する（Ｓ５２０）。
比べた結果閾値以上場合（Ｓ５０３のＮｏ）、判定対象のアドレッサブル広告は、そのまま処理を終了する（Ｓ５２０）。
【００５９】
以上のように本発明の実施形態に係る除外ＣＭ判定装置３３０は、放送される番組の番組属性情報と放送される番組の挿入されているＣＭを差し替える候補であるアドレッサブル広告属性情報とを用いて、該当するアドレッサブル広告を差し替え候補から除外すかどうかの判定を行うことができる。
【００６０】
これにより本発明の実施形態に係る除外ＣＭ判定装置３３０は、ユーザの嗜好に適するだけでなく、アドレッサブル広告に差し替えられる広告やその広告を含む番組の内容にも適したアドレッサブル広告を選択して表示することが可能となる。したがって本発明の実施形態に係る除外ＣＭ判定装置３３０を含む放送信号受信装置は、従来にも増してユーザに適したアドレッサブル広告を表示することが可能となる。
【００６１】
図を用いて本発明の実施形態に係る除外ＣＭ判定装置３３０および除外ＣＭ判定装置３３０を含むアドレッサブル広告システムの例を説明したが、上述した例に限定されない。
図１に示したアドレッサブル広告システムの構成例では、放送局（放送信号送信装置）１００は、ＭＭＴ・ＴＬＶ方式で多重された放送波を送信し、放送信号受信装置１４０は、ＭＭＴ・ＴＬＶ方式で多重された放送波を受信する場合を例に説明したが、放送波がＭＰＥＧ−２方式で多重されたものであってもよい。あるいはまた図１に示したアドレッサブル広告システムの構成例では、放送局（放送信号送信装置）１００は、ネットワーク１３０を介して、番組コンテンツを放送信号受信装置１４０に配信してもよい。
【００６２】
また本発明の実施形態に係る除外ＣＭ判定装置３３０は、放送信号受信装置１４０において録画された番組に対して処理を行うことも可能である。
また図１に示したアドレッサブル広告システムの構成例では、放送信号受信装置１４０が１つだけ含まれている例であるが、複数含まれていてもよい。この場合管理サーバ１２１は、放送信号受信装置１４０の各々が持つ機器ＩＤを用いて、複数ある放送信号受信装置１４０を識別し管理することが出来る。
【００６３】
また本発明の実施形態にかかる除外ＣＭ判定装置３３０は、放送信号受信装置１４０に含まれるとして説明したが、放送信号受信装置１４０と通信可能であり個々の放送信号受信装置１４０をその機器ＩＤにより識別することが可能な別体の中にあってもよい。この別体は、例えば管理サーバ１２１であってもよい。
【００６４】
除外ＣＭ判定装置３３０が別体の中にある場合、別体の中にある除外ＣＭ判定装置３３０のユーザ嗜好ＣＭ取得部４０３は、ネットワーク１３０を介してアドレッサブル広告属性情報を取得すればよい。また除外ＣＭ判定部４０４は、ネットワーク１３０を介して判定結果を放送信号受信装置１４０に送信すればよい。
【００６５】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。さらにまた、請求項の各構成要素において、構成要素を分割して表現した場合、或いは複数を合わせて表現した場合、或いはこれらを組み合わせて表現した場合であっても本発明の範疇である。また請求項を制御ロジックとして表現した場合、コンピュータを実行させるインストラクションを含むプログラムとして表現した場合、及び前記インストラクションを記載したコンピュータ読み取り可能な記録媒体として表現した場合でも本発明の装置を適用したものである。また、使用している名称や用語についても限定されるものではなく、他の表現であっても実質的に同一内容、同趣旨であれば、本発明に含まれるものである。
【符号の説明】
【００６６】
１００・・・放送局（放送信号送信装置）、１２０・・・ＣＭ配信用サーバ、１２１・・・管理サーバ、１４０・・・放送信号受信装置、１６０・・・記録媒体。
【図１】
2020102715.tif 000003
【図２】
2020102715.tif 000004
【図３】
2020102715.tif 000005
【図４Ａ】
2020102715.tif 000006
【図４Ｂ】
2020102715.tif 000007
【図４Ｃ】
2020102715.tif 000008
【図５】
2020102715.tif 000009